(57)【要約】本発明は、時計および計時器の分野に関する。心拍が秒単位の表示の更新を開始するトリガとして作用するように形成された時計（１０）のための機構が開示される。また、心拍が時刻表示装置（２１）を増加させるためのトリガとして作用するように適合された時計のための機構も記述される。さらに、心拍センサ（３０）を付随し、そのセンサによって探知された心拍に反応して、定期的に時刻表示を更新するのに適合し、これによって、心拍が感知される毎に時刻表示を更新する時計が開示される。【選択図】図１
2004510143.tif 000002
【特許請求の範囲】
【請求項１】
心拍が秒単位表示の更新を開始するトリガとして作用するように構成された時刻保持システム。
【請求項２】
心拍が時刻表示を増加させるトリガとして作用するように適合させた時刻保持システム。
【請求項３】
心拍センサを付随する時計であって、そのセンサによって探知された心拍に反応して時刻表示を定期的に更新するように適合させることによって、心拍が感知されるごとに時刻表示が更新される時計。
【請求項４】
時間、分、および秒単位の表示器を備えている表示装置を有する時計であって、上記表示装置によって定期的に読みこまれる正確な時間を保持する装置を備える結果、表示時刻が上記時間保持装置によって維持された時刻と一致し、上記表示装置とデータ通信する、人の心拍を感知するための心拍センサを有するともに、表示の更新が上記心拍センサが通信する心拍信号に反応して引き起こされる時計。
【発明の詳細な説明】
【０００１】
【発明の属する技術分野】
この発明は、時刻保持システムに関し、特に、人の心拍に反応して秒表示が更新される機構に関する。
【０００２】
【従来の技術】
アナログ式の時計は、一般に、分針及び時針を用いて時刻を表示する。通例、アナログ式の時計には秒針も設けられている。デジタル式の時計は、時間、分、および秒を、アラビア数字を用いて表示する。
【０００３】
従来、秒表示は、時刻を示すために使用される時計上にて、一定に保たれる秒表示を更新する間における時間増分を有する。通常、秒表示は、毎秒更新されるため、毎分６０回の更新が生じる。
【０００４】
秒単位の表示に加え、秒表示は（針の動きであっても数字の変更であっても）、時間の経過が目に見えるように描写する。
【０００５】
本願発明者は、時間の経過を心拍として描写することは新規であり、かつ望ましいということと、それが従来の時計では成し得ないと認識している。
【０００６】
心拍度数監視様式を備えた時計を提供することは公知である。これらは、一般的に、心拍を感知するための胸部用ストラップを備えている。そのストラップは、腕時計内の受信器と通信する中継器を備えている。その時計は、心拍度数を計算するための処理装置を備えていて、その心拍度数を表示する。これらの時計は、心血管系のフィットネス運動に有益であり、広く使用されている。このような時計は、ポラールエレクトロ社等数社により製造されている。その他の心拍度数監視型腕時計は、市場にて入手可能である。例えば、カシオ計算機株式会社は、時計の表面に搭載され、指で時計の表面を押すことにより脈拍を感知する指先脈拍センサを備える時計を製造している。その時計の表示は、心拍度数を計算して表す。
【０００７】
【発明が解決しようとする課題】
しかし、脈拍数が与えられ、実際に各心拍数が目視できるように表示されても、時刻表示は完全に別個の特性を有し、定期的に更新はされるが、時計着用者の心拍とは完全に別個のものである。
【０００８】
本発明は、特に、心拍に反応して時刻表示が更新される時計を提供する。また、心拍が時刻表示を増加させるトリガとして作用する時計のための機構も提供する。
【０００９】
【課題を解決するための手段】
本発明の一態様によれば、心拍が秒単位表示の更新を開始するトリガとして作用する時計のための機構が提供される。
【００１０】
本発明の他の態様によれば、心拍センサを付随する時計であって、そのセンサによって探知された心拍に反応して時刻表示が定期的に更新されるように適合することで、心拍が感知されるごとに時刻表示が更新される時計が提供される。
【００１１】
本発明の他の態様によれば、時間、分、及び秒単位の表示器を備えた表示装置を有し、正確な時間を保持する装置を備えた時計であって、その装置は表示装置によって定期的に読みこまれる結果、表示時刻はその時間保持装置によって維持される時刻と一致し、人の心拍を感知するための心拍センサを付随し、その心拍センサは表示装置とデータ通信するとともに、表示の更新はその心拍センサが通信する心拍信号に反応して引き起こされる時計が提供される。
【００１２】
その時計は、秒針の動きを更新したり、あるいは表示上の秒数字を増加させるように、デジタル式でもアナログ式でもよい。
【００１３】
好適な実施の形態は腕時計に関するが、”時計”は、置時計およびその他の計時器を含む広義の意味を持つものである。
【００１４】
上記心拍センサは、着用者の心拍を感知して、着用者に着用されることが望ましい。しかし、そのセンサは着用者以外の人に着用されるものでもよい。
【００１５】
本発明の他の態様としては、その時計は、第一の様式が心拍をトリガとする更新様式であり、第二の様式が自動的な定期更新様式である、二通りの操作能力を備えている。
【００１６】
好適な実施形態では、上記センサは、時計の中に統合され、手首を通じて着用者の心拍を感知する。
【００１７】
しかし、現在では、信頼性の高い心拍センサのデータは、使用者の胸部に近接しているセンサにより得ることが最も望ましい。したがって、心拍センサは、胸部用ストラップに携帯されるのがよい。
【００１８】
【発明の実施の形態】
ここで、本発明の具体的な実施の形態の一例を、添付の概略図を参照しながら記述する。
【００１９】
時計１０の一部を形成する時刻保持装置２０は、集積回路として形成されたリアルタイムクロックである。このクロックは、現在の実時間の内部記録を維持する。時刻表示装置２１は、更新トリガに反応して、リアルタイムクロックから時刻を読み取る。このようにして、表示された時刻は、内部の時計の時刻と同期する。上記時刻表示装置は、リアルタイムクロックの読み取りのみを行い、更新トリガの信号に反応して更新を行う。
【００２０】
心拍センサ３０は、胸部用ストラップをベースにした装置で、心拍度数モニタの技術として知られている。着用者の心臓の鼓動が感知されるごとに、上記センサは、無線通信によってその時計内部の受信器２３に信号を送る。
【００２１】
その受信器は、トリガ信号を表示装置に送信する。次に、その表示装置は、リアルタイムクロックを読み取るとともに、表示された時刻を更新する。
【００２２】
そのセンサの着用者の心臓が１分間に６０回鼓動したら、表示は同分間に６０回更新されることは明白である。しかし、心拍度数がそれより低く、１分間に３０回しか鼓動しない場合には、表示は同分間に３０回しか更新されないであろう。逆に、心拍度数がそれより高く、１分間に１２０回鼓動する場合には、表示は同分間に１２０回更新されるであろう。
【００２３】
この実施の形態の時計は、２通りの様式間で切り替え可能であり、一方は、前述のように、心拍に反応して表示が更新される様式である。他方は（標準型）、通常は毎秒ごとに、リアルタイムクロックより送信された定期的な自動トリガに反応して表示が更新される様式である。
【００２４】
標準様式あるいは心拍様式への切り替えは、押しスイッチ２２の手動の押し下げにより有効となる。このようにして、標準様式では、上記表示装置は１秒間隔にて更新操作を行うのみである。心拍様式では、上記表示装置は、上記心拍センサからの心拍信号を受信するごとに、表示の更新操作を行う。
【図面の簡単な説明】
【図１】
本発明の構成を示す概略図である。
【図１】
2004510143.tif 000003
【国際公開パンフレット】
2004510143.tif 000004
2004510143.tif 000005
2004510143.tif 000006
2004510143.tif 000007
2004510143.tif 000008
2004510143.tif 000009
2004510143.tif 000010
2004510143.tif 000011
2004510143.tif 000012
2004510143.tif 000013
2004510143.tif 000014
【国際調査報告】
2004510143.tif 000015
2004510143.tif 000016